(57)【要約】【課題】遅延検波型復調器の復調特性のリニアリティを改善するとともに、リニアリティを保証できる動作電圧の範囲を広げることを可能にする。【解決手段】増幅器１と比較器４の間において、差動型の遅延回路を構成する正相側の遅延回路２と逆相側の遅延回路３とが離間して配置され、遅延回路２の遅延信号入力配線１１及び遅延信号出力配線１５と、遅延回路３の遅延信号入力配線１２及び遅延信号出力配線１６とが、それぞれ略直線かつ平行に配置される。また、増幅器１から比較器４に至る２本の非遅延信号配線１３が遅延回路を構成する正相側の遅延回路２と逆相の遅延回路３の間に略直線かつ平行に引き通されて配置されるとともに、それぞれの配線間にグランドパターン１８が配置される。【選択図】図１
2008294922.tif 000002
【特許請求の範囲】
【請求項１】
入力した変調信号を増幅する増幅器と、
前記増幅器の出力を遅延する遅延部と、
前記増幅器の出力と前記遅延部の出力とを比較する比較器とを備え、
前記遅延部は、正相側の遅延回路と逆相側の遅延回路とを有し、前記正相側の遅延回路と前記逆相側の遅延回路とが前記増幅器と前記比較器との間において互いに離間して配置され、
前記増幅器と前記遅延回路の入力とを接続する遅延信号入力配線と、
前記遅延回路の出力と前記比較器とを接続する遅延信号出力配線と、
前記正相側の遅延回路と前記逆相側の遅延回路との間に引き通して配置された前記増幅器と前記比較器とを接続する非遅延信号配線と、
前記逆相側の遅延回路と前記非遅延信号配線との間、及び前記非遅延信号配線と前記逆相側の遅延回路との間にそれぞれ配置されたグランドパターンと、
を備える遅延検波型復調器。
【請求項２】
請求項１に記載の遅延検波型復調器であって、
前記遅延信号入力配線及び前記遅延信号出力配線、前記非遅延信号配線がそれぞれ略直線状かつ互いに平行に配置される遅延検波型復調器。
【請求項３】
請求項１または２に記載の遅延検波型復調器を含む復調回路ＩＣ。
【請求項４】
請求項１または２に記載の遅延検波型復調器と、前記遅延検波型復調器との間で信号の入力、出力の少なくとも一方を行うフロントエンド回路とを備える復調回路ＩＣ。
【発明の詳細な説明】
【技術分野】
【０００１】
本発明は、入力した変調信号を遅延検波方式によって復調する遅延検波型復調器に関する。
【背景技術】
【０００２】
ＦＴＴＨ（Fiber To The Home）システムにおけるＶ−ＯＮＵ（Video-Optical Network Unit）などの通信装置では、光ファイバを介して伝送された広帯域ＦＭ変調信号を、フォトダイオードによって光電変換し、遅延検波型復調器でＦＭ復調する。この遅延検波型復調器は、一般にＩＣチップ上に構成され、光電変換したＦＭ変調信号を増幅して遅延させた遅延信号と、遅延させない非遅延信号とを生成し、これら二つの信号を比較器で比較することにより遅延検波方式のＦＭ復調を行っている。
【０００３】
図３は、ＩＣチップ上にレイアウトされた従来の遅延検波型復調器の概略構成の例を示す図である。この遅延検波型復調器は、入力信号を増幅する増幅器５１と、差動回路で構成される遅延回路５５と、遅延回路５５の差動出力の正相、逆相出力と非遅延の差動信号とを比較する比較器５４とを備える。ここで、遅延回路５５における正相側の遅延回路（＋）５２及び逆相側の遅延回路（−）５３を、増幅器５１の出力と比較器５４の入力との間に設ける際に、遅延回路５２、５３を一括して略同位置に配置するとともに、遅延させない非遅延差動信号配線６３を遅延回路５５から分離して引き通し、両者の間にグランドパターン６８を設けることで、クロストークによる復調特性の劣化を抑制している。また、遅延回路５２、５３の入力配線６１、６２と、出力配線６５、６６は、増幅器５１の出力から比較器５４の入力までの長さがほぼ同じ（Ａ＋Ｃ≒Ｂ＋Ｄ）になるように引き通し、これによって信号のタイミングを合わせるようにしている。
【０００４】
しかしながら、上記した従来例において、正相側の遅延回路５２と逆相側の遅延回路５３の出力から比較器５４の入力に至るそれぞれの遅延回路の負荷となる出力配線６５、６６は、その長さが互いに異なっている（Ｃ≠Ｄ）。このため、比較器５４の入力で見た場合、差動信号としての波形特性が異なってしまい、復調特性のリニアリティが劣化するという問題点があった。また、配線が長くなることによって、立ち上がり時間の遅れやリンギングの発生など、信号波形に劣化が生じていた。
【０００５】
図４は、従来例における比較器の入力の波形を示す波形図である。この図４は、正相と逆相の遅延回路の出力側の配線長のアンバランスによる波形差の例を示すものである。図４において、立ち上がり時に発生したリンギング７１、立ち下がり時に発生したアンダーシュート７２、クロスポイントのずれによるデューティ比の劣化７３をそれぞれ示している。このように、配線長のアンバランスによって、リンギングやアンダーシュートが大きくなるとともに、デューティ比の劣化が生じ、復調特性のリニアリティが劣化する要因となる。
【特許文献１】特開平６−２６０６１９号公報
【特許文献２】特開平１１−１９１０１９号公報
【発明の開示】
【発明が解決しようとする課題】
【０００６】
本発明は、上記事情に鑑みてなされたもので、復調特性のリニアリティを改善するとともに、リニアリティを保証できる動作電圧の範囲を広くすることが可能な遅延検波型復調器を提供することを目的とする。
【課題を解決するための手段】
【０００７】
本発明の遅延検波型復調器は、入力した変調信号を増幅する増幅器と、前記増幅器の出力を遅延する遅延部と、前記増幅器の出力と前記遅延回路の出力とを比較する比較器とを備え、前記遅延部は、正相側の遅延回路と逆相側の遅延回路とを有し、前記正相側の遅延回路と前記逆相側の遅延回路とが前記増幅器と前記比較器との間において互いに離間して配置され、前記増幅器と前記遅延回路の入力とを接続する遅延信号入力配線と、前記遅延回路の出力と前記比較器とを接続する遅延信号出力配線と、前記正相側の遅延回路と前記逆相側の遅延回路との間に引き通して配置された前記増幅器と前記比較器とを接続する非遅延信号配線と、前記逆相側の遅延回路と前記非遅延信号配線との間、及び前記非遅延信号配線と前記逆相側の遅延回路との間にそれぞれ配置されたグランドパターンと、を備えるものである。
【０００８】
この構成により、遅延回路から見て負荷となる遅延回路の出力から比較器の入力までの遅延信号出力配線を正相側と逆相側とでほぼ同様の配置とすることが可能となる。このため、遅延部における差動信号の正相・逆相間の波形特性の差を低減することができ、復調特性のリニアリティを改善することが可能となる。また、正相側及び逆相側の遅延回路により構成される差動回路の動作条件を緩和できるため、リニアリティを保証することのできる動作電圧の範囲を広くすることが可能となる。
【０００９】
また、本発明は、上記遅延検波型復調器であって、前記遅延信号入力配線及び前記遅延信号出力配線、前記非遅延信号配線がそれぞれ略直線状かつ互いに平行に配置されるものを含む。
【００１０】
この構成により、遅延信号入力配線及び遅延信号出力配線、並びに非遅延信号配線をできるだけ短い長さで配置し、増幅器、遅延回路、比較器を直線状に最短距離で接続することが可能となる。このため、立ち上り時間の遅れやリンギングの発生等の波形劣化を抑制することが可能となる。
【００１１】
また、本発明は、上記のいずれかの遅延検波型復調器を含む復調回路ＩＣを提供する。
【００１２】
また、本発明は、上記のいずれかの遅延検波型復調器と、前記遅延検波型復調器との間で信号の入力、出力の少なくとも一方を行うフロントエンド回路とを備える復調回路ＩＣを提供する。
【発明の効果】
【００１３】
本発明によれば、復調特性のリニアリティを改善するとともに、リニアリティを保証できる動作電圧の範囲を広くすることが可能な遅延検波型復調器を提供できる。
【発明を実施するための最良の形態】
【００１４】
図１は、本発明の実施形態に係る遅延検波型復調器のレイアウト構成を示す概略構成図である。
【００１５】
本実施形態の遅延検波型復調器は、入力信号を増幅する増幅器１と、差動回路で構成される遅延回路における正相側の遅延回路（＋）２及び逆相側の遅延回路（−）３と、正相・逆相の遅延回路２、３の出力と増幅器１の非遅延の差動信号出力とを比較する比較器４とを備えて構成される。
【００１６】
正相側の遅延回路２と逆相側の遅延回路３とは離間して配置されるとともに、増幅器１から遅延回路２の入力、遅延回路３の入力にそれぞれ至り、両者を接続するそれぞれの遅延信号入力配線１１、１２が、略直線かつ互いに平行に配置される。また、遅延回路２の出力、遅延回路３の出力から比較器４にそれぞれ至り、両者を接続するそれぞれの遅延信号出力配線１５、１６も、同様に略直線かつ互いに平行に配置される。そして、正相側の遅延回路２と逆相側の遅延回路３との間が配線１７によって接続される。
【００１７】
さらに、増幅器１から比較器４まで遅延させない非遅延信号が通る差動対（２本）の非遅延信号配線１３は、遅延回路を構成する正相側の遅延回路２と逆相側の遅延回路３との間に、略直線かつ平行に引き通して配置される。
【００１８】
そして、正相側の遅延回路２と非遅延信号配線１３との間、逆相側の遅延回路３３と非遅延信号配線１３との間、及び非遅延信号が通る差動対（２本）の非遅延信号配線１３の間に、それぞれグランドパターン１８が配置される。
【００１９】
この場合、遅延回路２、３の遅延信号入力配線１１、１２と、遅延信号出力配線１５、１６は、増幅器１の出力から比較器４の入力までの長さがほぼ同じ（Ａ＋Ｃ≒Ｂ＋Ｄ）であり、かつ、遅延回路２、３の出力から比較器４の入力に至るそれぞれの遅延回路の負荷となる遅延信号出力配線１５、１６の長さも、ほぼ同じ（Ｃ≒Ｄ）になっている。これにより、遅延検波型復調器における信号のタイミングを合わせるようにしている。このとき、正相側の遅延回路２と逆相の遅延回路３とが少し離れて位置することになるが、特性には特に影響のない程度である。
【００２０】
図２は、本実施形態における比較器の入力の波形を示す波形図である。この図２は、正負の遅延回路の出力側の配線長のアンバランスが無い場合の波形の例を示すものである。この場合、立ち上がり時のリンギング３１、立ち下がり時のアンダーシュート３２、デューティ比の劣化１３が共に少なく、良好な信号波形が得られる。このため、比較器４による比較結果の出力信号（復調信号）も良好な信号波形が得られるようになる。
【００２１】
上記の構成により、差動回路で構成される遅延回路の正相側の遅延回路２と逆相側の遅延回路３の遅延信号入力配線１１、１２及び遅延信号出力配線１５、１６の長さ、すなわち、正相・逆相の遅延回路の差動信号の配線長が短縮されるので、図４に示したような立ち上り時間の遅れやリンギングの発生等の波形劣化を抑制することができる。また、図２に示したように、差動信号間の波形差が抑制されることにより、高周波における復調特性のリニアリティを改善することができる。
【００２２】
また、本実施形態では、従来の遅延検波型復調器と比較して、デューティ比の周波数特性の変化を小さくできるという効果が得られる。すなわち、従来に比べて本実施形態では、図２の波形図の立ち上がり時間と立ち下がり時間との比を、従来よりも、より高い周波数領域までほぼ一定にすることができ、復調特性のリニアリティを向上できる。
【００２３】
さらに、遅延信号出力配線１５、１６は配線長が短くてほぼ同じ長さであるため、これらの配線をそれぞれ負荷とする遅延回路の正相側の遅延回路２と逆相側の遅延回路３により構成される差動アンプの負荷条件が同等となり、出力される差動対信号間の波形対称性が改善されることによって動作条件が緩和される。これによって、遅延検波型復調器における復調特性のリニアリティを保証することのできる動作電圧（バイアス）の範囲を広くすることができる。
【００２４】
また、非遅延信号配線１３と、正相側の遅延回路２及び逆相側の遅延回路３との間に、それぞれグランドパターン１８を挟むように設けることによって、各信号間のクロストークを抑制することが可能となる。
【００２５】
以上説明したように、本実施形態の遅延検波型復調器は、増幅器１と比較器４の間で、遅延回路を構成する正相側の遅延回路２と逆相側の遅延回路３が離間して配置され、正相側の遅延回路２の入出力配線１１、１５と、逆相側の遅延回路３の入出力配線１２、１６とがそれぞれ略直線、かつ平行に配置される。また、増幅器１から比較器４に至る非遅延信号が通る配線１３が正相側の遅延回路２と逆相側の遅延回路３の間に略直線かつ平行に引き通されて配置されるとともに、それぞれの配線間にグランドパターン１８が配置される構成を持つ。
【００２６】
これらにより、遅延回路を構成する正相側の遅延回路２と逆相側の遅延回路３における差動信号間の波形特性の差を低減すること、すなわち波形対称性を改善することが可能となり、復調特性のリニアリティを改善することができる。また、遅延回路２、３により構成される遅延回路の動作条件を緩和し、リニアリティを保証できる動作電圧の範囲を広げることができる。したがって、本実施形態の遅延検波型復調器では、広い動作範囲でリニアリティを確保した良好な復調特性を得ることができる。
【００２７】
この遅延検波型復調器は、ＦＴＴＨシステムにおけるＶ−ＯＮＵの光受信部などに用いることができ、例えば１０ＧＨｚ帯などの高周波帯域にも対応して十分に良好な復調特性を得ることが可能となる。
【００２８】
また、本実施形態の遅延検波型復調器は、この遅延検波型復調器との間で信号の入力、出力の少なくとも一方を行うフロントエンド回路と組み合わせて、１つまたは複数のチップ上に形成してなる復調回路ＩＣを構成することも可能である。フロントエンド回路としては、遅延検波型復調器の出力の復調信号を処理するアナログフロントエンド回路などが用いられる。少なくとも本実施形態の遅延検波型復調器を含むＩＣを構成することによって、リニアリティが高く帯域の広い復調回路ＩＣを実現できる。
【００２９】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００３０】
本発明は、復調特性のリニアリティを改善するとともに、リニアリティを保証できる動作電圧の範囲を広くすることが可能となる効果を有し、入力した変調信号を遅延検波方式によって復調する遅延検波型復調器等として有用である。
【図面の簡単な説明】
【００３１】
【図１】本発明の実施形態に係る遅延検波型復調器のレイアウト構成を示す概略構成図
【図２】本実施形態における比較器の入力の波形を示す波形図
【図３】従来の遅延検波型復調器の概略構成の例を示す図
【図４】従来例における比較器の入力の波形を示す波形図
【符号の説明】
【００３２】
１  増幅器
２  正相側の遅延回路
３  逆相側の遅延回路
４  比較器
１１、１２  遅延信号入力配線
１３  非遅延信号配線
１５、１６  遅延信号出力配線
１８  グランドパターン
【図１】
2008294922.tif 000003
【図２】
2008294922.tif 000004
【図３】
2008294922.tif 000005
【図４】
2008294922.tif 000006